(57)【要約】【課題】駆動波形生成部が生成する駆動波形の周期を詳細に調整することが可能な超音波モータの駆動装置を提供する。【解決手段】この超音波モータ１の駆動装置２は、圧電素子１１ａ、１１ｂ、１１ｃおよび１１ｄを含む超音波モータ１の圧電素子１１ａ〜１１ｄを駆動する信号を生成する矩形波形生成器２２、ＬＰＦ２３ａ、２３ｂ、および、増幅器２４ａ、２４ｂを備え、矩形波形生成器２２は、周期の異なる複数の矩形波形２２１および矩形波形２２２を含む矩形波形を生成可能に構成されている。【選択図】図２
2011254610.tif 000002
【特許請求の範囲】
【請求項１】
圧電素子を含む超音波モータの前記圧電素子を駆動する信号を生成する駆動波形生成部を備え、
前記駆動波形生成部は、周期の異なる複数の駆動波形を含む駆動波形を生成可能に構成されている、超音波モータの駆動装置。
【請求項２】
前記駆動波形生成部は、前記周期の異なる複数の駆動波形を１組とした駆動波形を繰り返し生成可能に構成されている、請求項１に記載の超音波モータの駆動装置。
【請求項３】
前記周期の異なる複数の駆動波形は、第１の駆動波形と前記第１の駆動波形と異なる周期を有する第２の駆動波形とを含み、
前記駆動波形生成部は、１つの前記第１の駆動波形と１つの前記第２の駆動波形とを１組とした駆動波形を繰り返し生成可能に構成されている、請求項２に記載の超音波モータの駆動装置。
【請求項４】
前記周期の異なる複数の駆動波形は、第１の駆動波形と前記第１の駆動波形と異なる周期を有する第２の駆動波形とを含み、
前記駆動波形生成部は、１つまたは複数の前記第２の駆動波形と、１つまたは複数の前記第１の駆動波形とを１組とした駆動波形を繰り返し生成可能に構成されている、請求項２に記載の超音波モータの駆動装置。
【請求項５】
前記周期の異なる複数の駆動波形は、矩形波形を含み、前記第２の駆動波形の周期は、前記第１の駆動波形の周期よりも制御部のクロックの１クロック分、または、１クロックの整数倍分、長くなるように構成されている、請求項３または４に記載の超音波モータの駆動装置。
【請求項６】
前記第１の駆動波形と前記第２の駆動波形とを１組とした駆動波形を生成することにより、前記第１の駆動波形の周期と前記第２の駆動波形の周期との間で、かつ、１クロックよりも小さい時間間隔で駆動波形の周期を調整可能に構成されている、請求項５に記載の超音波モータの駆動装置。
【発明の詳細な説明】
【技術分野】
【０００１】
この発明は、超音波モータの駆動装置に関し、特に、駆動波形生成部を備える超音波モータの駆動装置に関する。
【背景技術】
【０００２】
従来、駆動波形生成部を備える超音波モータの駆動装置が知られている（たとえば、特許文献１参照）。
【０００３】
上記特許文献１の超音波モータの駆動装置では、矩形波発生回路（駆動波形生成部）により生成された矩形波形（電圧）が、ローパスフィルタ、増幅器などを介して超音波モータに印加されるように構成されている。また、矩形波発生回路は、制御部からの指示によって、所望の周期を有する矩形波を生成するように構成されている。なお、矩形波発生回路が生成する矩形波の周期の調整は、制御部のクロックの１クロックの期間を単位として調整されていると考えられる。
【先行技術文献】
【特許文献】
【０００４】
【特許文献１】特開２００８−３０１５６３号公報
【発明の概要】
【発明が解決しようとする課題】
【０００５】
しかしながら、上記特許文献１に記載の超音波モータでは、矩形波発生回路が生成する矩形波の周期の調整は、制御部の１クロックの期間を単位として調整されていると考えられるため、１クロックより短い時間間隔での矩形波の周期の調整が困難であるという問題点がある。
【０００６】
この発明は、上記のような課題を解決するためになされたものであり、この発明の１つの目的は、駆動波形生成部が生成する駆動波形の周期を詳細に調整することが可能な超音波モータの駆動装置を提供することである。
【課題を解決するための手段および発明の効果】
【０００７】
この発明の一の局面による超音波モータの駆動装置は、圧電素子を含む超音波モータの圧電素子を駆動する信号を生成する駆動波形生成部を備え、駆動波形生成部は、周期の異なる複数の駆動波形を含む駆動波形を生成可能に構成されている。
【０００８】
この一の局面による超音波モータの駆動装置では、上記のように、駆動波形生成部を、周期の異なる複数の駆動波形を含む駆動波形を生成可能に構成することによって、周期の異なる複数の駆動波形からなる駆動波形を１組の駆動波形とした場合、駆動波形の平均の周期は、複数の駆動波形の平均値と考えることができる。これにより、制御部が調整可能な周期の最小値（たとえば１クロック）よりも小さい間隔で駆動波形の周期を調整することができる。その結果、駆動波形生成部が生成する駆動波形の周期を詳細に調整することができる。なお、駆動波形生成部が生成可能な駆動波形の周期は、制御部のクロックの周期を小さくする（周波数を大きくする）ことにより、詳細に調整することが可能である一方、高速に動作させる回路が必要となる分、コストが上昇する。一方、上記のように、駆動波形生成部を、周期の異なる複数の駆動波形を含む駆動波形を生成可能に構成することによって、低速で動作する回路により駆動波形生成部が生成する駆動波形の周期を詳細に調整することができるので、装置のコストの上昇を抑制することができる。
【０００９】
上記一の局面による超音波モータの駆動装置において、好ましくは、駆動波形生成部は、周期の異なる複数の駆動波形を１組とした駆動波形を繰り返し生成可能に構成されている。このように構成すれば、周期の異なる複数の駆動波形を１組とした駆動波形が繰り返し生成されるので、周期の異なる複数の駆動波形を１組とした駆動波形によって、超音波モータの圧電素子を連続的に駆動することができる。
【００１０】
この場合、好ましくは、周期の異なる複数の駆動波形は、第１の駆動波形と第１の駆動波形と異なる周期を有する第２の駆動波形とを含み、駆動波形生成部は、１つの第１の駆動波形と１つの第２の駆動波形とを１組とした駆動波形を繰り返し生成可能に構成されている。このように構成すれば、１つの第１の駆動波形と１つの第２の駆動波形とを１組とした場合の駆動波形の平均の周期は、第１の駆動波形の周期と第２の駆動波形の周期との平均値になる。これにより、制御部が、第１の駆動波形の周期と第２の駆動波形の周期との間の周期を有する駆動波形を生成するように制御できない場合でも、擬似的に第１の駆動波形の周期と第２の駆動波形の周期との中間（平均値）の周期によって超音波モータの圧電素子を駆動することができる。
【００１１】
上記周期の異なる複数の駆動波形を１組とした駆動波形を繰り返し生成可能に構成されている超音波モータの駆動装置において、好ましくは、周期の異なる複数の駆動波形は、第１の駆動波形と第１の駆動波形と異なる周期を有する第２の駆動波形とを含み、駆動波形生成部は、１つまたは複数の第２の駆動波形と、１つまたは複数の第１の駆動波形とを１組とした駆動波形を繰り返し生成可能に構成されている。このように構成すれば、たとえば複数の第２の駆動波形と１つの第１の駆動波形とを１組とした場合の駆動波形の平均の周期は、第１の駆動波形の周期と第２の駆動波形の周期との間でかつ第２の駆動波形の周期寄りの周期になる。これにより、制御部が、第１の駆動波形の周期と第２の駆動波形の周期との間の周期を有する駆動波形を生成するように制御できない場合でも、擬似的に第１の駆動波形の周期と第２の駆動波形の周期との間の平均値以外の周期にも微調整することができる。その結果、より細かく調整された周期によって超音波モータの圧電素子を駆動することができる。
【００１２】
上記周期の異なる複数の駆動波形が第１の駆動波形と第２の駆動波形とを含む超音波モータの駆動装置において、好ましくは、周期の異なる複数の駆動波形は、矩形波形を含み、第１の駆動波形の周期は、第２の駆動波形の周期よりも制御部のクロックの１クロック分、または、１クロックの整数倍分、長くなるように構成されている。このように構成すれば、たとえば１つの第１の駆動波形と１つの第２の駆動波形とを１組とし、第１の駆動波形の周期を第２の駆動波形の周期よりも１クロック分長くした場合の駆動波形の平均の周期は、第１の駆動波形の周期よりも１／２クロック大きい周期になる。これにより、制御部が、１クロックの時間間隔でしか駆動波形の周期を調整できない場合でも、１クロックよりも小さい時間間隔で駆動波形の周期を調整することができる。
【００１３】
この場合、好ましくは、第１の駆動波形と第２の駆動波形とを１組とした駆動波形を生成することにより、第１の駆動波形の周期と第２の駆動波形の周期との間で、かつ、１クロックよりも小さい時間間隔で駆動波形の周期を調整可能に構成されている。このように構成すれば、たとえば駆動波形の周期を詳細に調整するためにクロックの周波数を変化させる場合と異なり、容易に、１クロックよりも小さい時間間隔で駆動波形の周期を調整することができる。
【図面の簡単な説明】
【００１４】
【図１】本発明の第１実施形態による超音波モータの駆動装置のブロック図である。
【図２】本発明の第１実施形態による超音波モータの駆動装置の矩形波形生成器が生成する矩形波形の波形図である。
【図３】比較例による超音波モータの駆動装置の矩形波形生成器が生成する矩形波形の波形図である。
【図４】周波数に対する超音波モータの回転速度について行ったシミュレーションの結果を示す図である。
【図５】本発明の第２実施形態による超音波モータの駆動装置が生成する矩形波形の波形図である。
【図６】周波数に対する超音波モータの回転速度について行ったシミュレーションにおける矩形波形生成器が生成する矩形波形の条件を示す図である。
【図７】図６に示す条件３の場合のＬＰＦから出力される正弦波形を示す図である。
【図８】図６に示す条件の矩形波形を超音波モータに印加した場合の周波数に対する超音波モータの回転速度について行ったシミュレーションの結果を示す図である。
【発明を実施するための形態】
【００１５】
以下、本発明を具体化した実施形態を図面に基づいて説明する。
【００１６】
（第１実施形態）
図１を参照して、本発明の第１実施形態による超音波モータ１の駆動装置２について説明する。
【００１７】
図１に示すように、駆動装置２は、超音波モータ１に接続されている。駆動装置２は、制御部２１と、矩形波形生成器２２と、ローパスフィルタ（ＬＰＦ）２３ａおよび２３ｂと、増幅器２４ａおよび２４ｂとを含んでいる。なお、矩形波形生成器２２、ＬＰＦ２３ａおよび２３ｂ、増幅器２４ａおよび２４ｂは、本発明の「駆動波形生成部」の一例である。
【００１８】
制御部２１は、矩形波形生成器２２に接続されている。制御部２１は、矩形波形生成器２２によって生成される矩形波形を制御するように構成されている。また、矩形波形生成器２２は、ＬＰＦ２３ａおよびＬＰＦ２３ｂに接続されている。矩形波形生成器２２は、矩形波形（電圧）を生成するとともに、生成した矩形波形の位相を異ならせてＬＰＦ２３ａおよびＬＰＦ２３ｂに出力する機能を有する。ここで、第１実施形態では、矩形波形生成器２２は、周期の異なる複数の矩形波形を含む矩形波形を生成可能に構成されている。また、矩形波形生成器２２は、周期の異なる複数の矩形波形を１組とした矩形波形を繰り返し生成可能に構成されている。
【００１９】
ＬＰＦ２３ａおよびＬＰＦ２３ｂは、それぞれ、増幅器２４ａおよび増幅器２４ｂに接続されている。また、ＬＰＦ２３ａおよびＬＰＦ２３ｂは、所定の周波数以上の周波数を有する矩形波形を遮断する機能を有する。また、ＬＰＦ２３ａおよびＬＰＦ２３ｂに入力された矩形波形は、略正弦波形として出力される。ＬＰＦ２３ａおよびＬＰＦ２３ｂから出力された略正弦波形（電圧）は、それぞれ、増幅器２４ａおよび増幅器２４ｂに入力されるとともに増幅されて出力されるように構成されている。増幅器２４ａによって増幅された電圧（たとえばｃｏｓ（ｔ）波）は、超音波モータ１の圧電素子１１ａに入力されるとともに、圧電素子１１ａに入力された電圧の正負を反転させた電圧（−ｃｏｓ（ｔ）波）が、圧電素子１１ｃに入力されるように構成されている。また、増幅器２４ｂによって増幅された電圧（ｓｉｎ（ｔ）波）は、圧電素子１１ｂに入力されるとともに、圧電素子１１ｂに入力された電圧の正負を反転させた電圧（−ｓｉｎ（ｔ）波）が、圧電素子１１ｄに入力されるように構成されている。
【００２０】
次に、図２を参照して、第１実施形態による矩形波形生成器２２の生成する矩形波形について説明する。
【００２１】
図２に示すように、第１実施形態では、矩形波形生成器２２は、制御部２１のクロックのＴクロック（Ｔは自然数）の周期を有する矩形波形２２１と、Ｔ＋１クロックの周期を有する矩形波形２２２とを交互に生成する。つまり、矩形波形生成器２２は、Ｔクロックの周期を有する矩形波形２２１と、Ｔ＋１クロックの周期を有する矩形波形２２２とを１組として、１組の矩形波形を繰り返して生成する。これにより、Ｔクロックの周期を有する矩形波形２２１と、Ｔ＋１クロックの周期を有する矩形波形２２２とを１組とした場合の矩形波形の平均の周期は、Ｔ＋１／２クロックになる。なお、矩形波形２２１は、本発明の「第１の駆動波形」の一例である。また、矩形波形２２２は、本発明の「第２の駆動波形」の一例である。
【００２２】
次に、図３および図４を参照して、超音波モータ１の周波数に対する回転速度について行ったシミュレーションについて説明する。なお、図３に示すように、比較例による矩形波形生成器２２は、制御部２１のクロックのＴクロック分の長さの周期を有する矩形波形２２１が連続して生成するように構成されている。また、周期の逆数（１／周期）である周波数に対する超音波モータ１の回転速度についてシミュレーションを行った。
【００２３】
まず、超音波モータ１の圧電素子１１ａ〜１１ｄに印加する電圧の周波数を細かな刻みで設定可能な理想的な場合についてシミュレーションを行った。その結果、図４の１点鎖線で示すように、周波数が８３ｋＨｚから超音波モータ１の回転速度は、徐々に大きくなり、８４ｋＨｚを超えてから急激に大きくなった。そして、８４．２９ｋＨｚの周波数において、回転速度が最大（４１３．０５ｒｐｍ）になった。その後、回転速度は、周波数の増加とともに、徐々に減少した。
【００２４】
次に、矩形波形生成器２２が図３の比較例に示されるような単一の周期（周波数）を有する矩形波形を生成する場合についてシミュレーションを行った。なお、制御部２１が調整可能な周波数は、８３．６ｋＨｚ、８５．５ｋＨｚおよび８７．５ｋＨｚの３つであるとした。その結果、図４の点線（三角）で示すように、８５．５ｋＨｚの周波数において、最大の回転速度（２２４．７ｒｐｍ）が得られた。一方、比較例では、上記理想的な場合（図４の１点鎖線）と異なり、最大の回転速度（４１３．０５ｒｐｍ）が得られる周波数である８４．２９ｋＨｚ近傍に制御部２１が周波数を調整できないため、比較例による最大の回転速度は、理想的な場合の約５４．４％（＝２２４．７／４１３．０５×１００）になった。
【００２５】
次に、矩形波形生成器２２が図２に示されるような複数の周期を有する矩形波形を生成する場合（第１実施形態）についてシミュレーションを行った。つまり、周波数の異なる複数の矩形波形が矩形波形生成器２２より出力される。なお、第１実施形態では、制御部２１が調整可能な周波数は、上記比較例と同様に、８３．６ｋＨｚ、８５．５ｋＨｚおよび８７．５ｋＨｚの３つとした。そして、８３．６ｋＨｚの周波数を有する矩形波形と、８５．５ｋＨｚの周波数を有する矩形波形とを交互に生成する場合（平均８４．５５ｋＨｚの周波数を有する矩形波形）と、８５．５ｋＨｚの周波数を有する矩形波形と、８７．５ｋＨｚの周波数を有する矩形波形とを交互に生成する場合（平均８６．５ｋＨｚの周波数を有する矩形波形）とについてシミュレーションを行った。その結果、図４の実線（四角）で示すように、平均の周波数が８４．５５ｋＨｚである場合において、最大の回転速度（３４６．１ｒｐｍ）が得られた。第１実施形態では、矩形波形生成器２２が、２つの異なる周期（周波数）を有する矩形波形を交互に生成するので、上記理想的な場合（図４の１点鎖線）の最大の回転速度（４１３．０５ｒｐｍ）が得られる周波数である８４．２９ｋＨｚ近傍に平均の周波数を設定できる。これにより、第１実施形態による最大の回転速度は、理想的な場合の約８３．８％（＝３４６．１／４１３．０５×１００）になった。
【００２６】
第１実施形態では、上記のように、矩形波形生成器２２を、周期の異なる複数の矩形波形（矩形波形２２１、２２２）を含む矩形波形を生成可能に構成することによって、周期の異なる複数の矩形波形からなる矩形波形を１組の矩形波形とした場合、矩形波形の平均の周期は、複数の矩形波形の平均値と考えることができる。これにより、制御部２１が調整可能な周期の最小値（たとえば１クロック）よりも小さい間隔で矩形波形の周期を調整することができる。その結果、矩形波形生成器２２が生成する矩形波形の周期を詳細に調整することができる。なお、矩形波形生成器２２が生成可能な矩形波形の周期は、制御部２１のクロックの周期を小さくする（周波数を大きくする）ことにより、詳細に調整することが可能である一方、高速に動作させる回路が必要となる分、コストが上昇する。一方、上記のように、矩形波形生成器２２を、周期の異なる複数の矩形波形を含む矩形波形を生成可能に構成することによって、低速で動作する回路により矩形波形生成器２２が生成する矩形波形の周期を詳細に調整することができるので、装置のコストの上昇を抑制することができる。
【００２７】
また、第１実施形態では、上記のように、矩形波形生成器２２を、周期の異なる複数の矩形波形（矩形波形２２１、２２２）を１組とした矩形波形を繰り返し生成可能に構成することによって、周期の異なる複数の矩形波形を１組とした矩形波形が繰り返し生成されるので、周期の異なる複数の矩形波形を１組とした矩形波形によって、超音波モータ１の圧電素子１１ａ〜１１ｄを連続的に駆動することができる。
【００２８】
また、第１実施形態では、上記のように、周期の異なる複数の矩形波形が、矩形波形２２１と矩形波形２２１と異なる周期を有する矩形波形２２２とを含み、矩形波形生成器２２を、１つの矩形波形２２１と１つの矩形波形２２２とを１組とした矩形波形を繰り返し生成可能に構成する。これにより、１つの矩形波形２２１と１つの矩形波形２２２とを１組とした場合の矩形波形の平均の周期は、矩形波形２２１の周期（Ｔクロック）と矩形波形２２２の周期（Ｔ＋１クロック）との平均値（Ｔ＋１／２クロック）になる。その結果、制御部２１が、矩形波形２２１の周期と矩形波形２２２の周期との間の周期を有する矩形波形を生成するように制御できない場合でも、擬似的に矩形波形２２１の周期と矩形波形２２２の周期との中間（平均値）の周期によって超音波モータ１の圧電素子１１ａ〜１１ｄを駆動することができる。
【００２９】
また、第１実施形態では、上記のように、矩形波形２２２の周期を、矩形波形２２１の周期よりも制御部２１のクロックの１クロック分、長くなるように構成することによって、１つの矩形波形２２１と１つの矩形波形２２２とを１組とした場合の矩形波形の平均の周期は、矩形波形２２１の周期よりも１／２クロック大きい周期になる。これにより、制御部２１が、１クロックの時間間隔でしか矩形波形の周期を調整できない場合でも、１クロックよりも小さい時間間隔で矩形波形の周期を調整することができる。
【００３０】
また、第１実施形態では、上記のように、矩形波形２２１と矩形波形２２２とを１組とした矩形波形を繰り返し生成することにより、矩形波形２２１の周期と矩形波形２２２の周期との間で、かつ、１クロックよりも小さい時間間隔で矩形波形の周期を調整可能に構成することによって、たとえば矩形波形の周期を詳細に調整するためにクロックの周波数を変化させる場合と異なり、容易に、１クロックよりも小さい時間間隔で矩形波形の周期を調整することができる。
【００３１】
（第２実施形態）
次に、図５を参照して、第２実施形態について説明する。この第２実施形態では、上記１つの矩形波形２２１と１つの矩形波形２２２とが交互に生成される第１実施形態と異なり、複数の矩形波形２２２と１つの矩形波形２２１とが１組として生成される。
【００３２】
図５に示すように、第２実施形態では、矩形波形生成器２２は、複数（図５では２つ）の矩形波形２２２と１つの矩形波形２２１とを１組として生成するように構成されている。また、矩形波形生成器２２は、複数（図５では２つ）の矩形波形２２２と１つの矩形波形２２１とを１組とした矩形波形を繰り返し生成するように構成されている。図５に示すように、Ｔクロックの周期を有する１つの矩形波形２２１と、Ｔ＋１クロックの周期を有する２つの矩形波形２２２とを１組とした場合では、平均の周期は、Ｔ＋２／３クロックとなる。つまり、Ｔクロックの周期を有する１つの矩形波形２２１と、Ｔ＋１クロックの周期を有する２つの矩形波形２２２とを１組とした場合では、平均の周期は、矩形波形２２２の周期に近くなる。すなわち、平均の周期は、１組の矩形波形のうち、生成される数の大きい矩形波形の周期寄りになる。
【００３３】
次に、図６〜図８を参照して、矩形波形２２２の数を異ならせた場合の超音波モータ１の周波数に対する回転速度について行ったシミュレーションについて説明する。
【００３４】
まず、超音波モータ１の圧電素子１１ａ〜１１ｄを駆動する電圧の波形（矩形波形）の調整について説明する。図６に示すように、条件１では、矩形波形生成器２２は、８５．９ｋＨｚの周波数を有する矩形波形と、８５．１ｋＨｚの周波数を有する１つの矩形波形とを１回ずつ交互に生成した。つまり、条件１では、矩形波形の周波数の平均値は、８５．５ｋＨｚとなる。また、条件２では、矩形波形生成器２２は、８５．９ｋＨｚの周波数を有する矩形波形を１回生成した後に、８５．１ｋＨｚの周波数を有する矩形波形を３回生成した。つまり、条件２では、矩形波形の周波数の平均値は、８５．３ｋＨｚとなる。また、条件３では、矩形波形生成器２２は、８５．９ｋＨｚの周波数を有する矩形波形を１回生成した後に、８５．１ｋＨｚの周波数を有する矩形波形を４回生成した。つまり、条件３では、矩形波形の周波数の平均値は、８５．２６ｋＨｚとなる。また、条件４では、矩形波形生成器２２は、８５．９ｋＨｚの周波数を有する矩形波形を１回生成した後に、８５．１ｋＨｚの周波数を有する矩形波形を９回生成した。つまり、条件４では、矩形波形の周波数の平均値は、８５．１８ｋＨｚとなる。なお、図６に示すように、８５．１ｋＨｚの周波数の矩形波形を多く生成することにより、矩形波形の周波数の平均値は、８５．１ｋＨｚに近づく。
【００３５】
そして、図７に示すように、たとえば条件２では、１つの８５．９ｋＨｚの周波数を有する電圧と、３つの８５．１ｋＨｚの周波数を有する電圧とが１組として超音波モータ１の圧電素子１１ａ〜１１ｄ（図１参照）に印加される。なお、図７では、ＬＰＦ２３ａおよび２３ｂによって、矩形波形が略正弦波形に変換された後の波形を示している。
【００３６】
次に、上記条件１〜条件４の場合おいて生成された矩形波形（電圧）によって、超音波モータ１の圧電素子１１ａ〜１１ｄを駆動するシミュレーションを行った。また、比較例として、周波数が８５．１ｋＨｚ、８５．１８ｋＨｚ、８５．２６ｋＨｚ、８５．３ｋＨｚ、８５．５ｋＨｚおよび８５．９ｋＨｚであり、かつ、単一の周波数（周期）からなる電圧によって、超音波モータ１の圧電素子１１ａ〜１１ｄを駆動するシミュレーションを行った。その結果、図８の実線（四角）に示すように、条件４、条件３、条件２および条件１の順に周波数の平均値が小さくなるにしたがって徐々に超音波モータ１の回転速度が低下することが確認された。また、矩形波形生成器２２が周期（周波数）の異なる複数の矩形波形を生成する場合（図８の実線（四角））の回転速度と、矩形波形生成器２２が単一の周期（周波数）を生成する場合（図８の点線（ひし形））の回転速度とでは、矩形波形生成器２２が周期（周波数）の異なる複数の矩形波形を生成する場合（図８の実線（四角））の回転速度が多少大きくなる一方、略同様の回転速度が得られることが確認された。つまり、周期（周波数）の異なる複数の矩形波形を合成した場合と、単一の周期を生成する場合とでは、同様の回転速度が得られることが確認された。
【００３７】
第２実施形態では、上記のように、周期の異なる複数の矩形波形が、矩形波形２２１と矩形波形２２１と異なる周期を有する矩形波形２２２とを含み、矩形波形生成器２２を、１つの矩形波形２２１と、複数の矩形波形２２２とを１組とした矩形波形を繰り返し生成可能に構成する。これにより、複数の矩形波形２２２と１つの矩形波形２２１とを１組とした場合の矩形波形の平均の周期は、矩形波形２２１の周期と矩形波形２２２の周期との間でかつ矩形波形２２２の周期寄りの周期になる。その結果、制御部２１が、矩形波形２２１の周期と矩形波形２２２の周期との間の周期を有する矩形波形を生成するように制御できない場合でも、擬似的に矩形波形２２１の周期と矩形波形２２２の周期との間の平均値以外の周期にも微調整することができる。その結果、より細かく調整された周期によって超音波モータ１の圧電素子１１ａ〜１１ｄを駆動することができる。
【００３８】
なお、第２実施形態のその他の効果は、上記第１実施形態と同様である。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記第１および第２実施形態では、矩形波形生成器が矩形波形を生成した後に、ＬＰＦによって矩形波形が略正弦波形に変換される例を示したが、本発明はこれに限らない。たとえば、超音波モータの駆動装置が矩形波形を生成せずに、直接正弦波形（余弦波形）を生成するようにしてもよい。
【００４１】
また、上記第１および第２実施形態では、矩形波形生成器が生成する２つの異なる周期（Ｔクロック、Ｔ＋１クロック）を有する矩形波形の周期が１クロック分異なる例を示したが、本発明はこれに限らない。たとえば、矩形波形生成器が生成する２つの異なる周期を有する矩形波形の周期が２クロック分以上異なるようにしてもよい。
【００４２】
また、上記第１および第２実施形態では、２つの異なる周期を有する矩形波形が生成される例を示したが、本発明はこれに限らない。本発明では、３つ以上の異なる周期を有する矩形波形が生成されてもよい。
【００４３】
また、上記第１および第２実施形態では、複数の異なる周期を有する矩形波形を１組として、１組の矩形波形が繰り返し生成される例を示したが、本発明はこれに限らない。複数の異なる周期を有する矩形波形が組をなさずにばらばらに生成されるようにしてもよい。
【００４４】
また、上記第２実施形態では、１つのＴクロックの周期を有する矩形波形と、複数のＴ＋１クロックの周期を有する矩形波形とが生成される例を示したが、本発明はこれに限らない。本発明では、複数のＴクロックの周期を有する矩形波形と、１つのＴ＋１クロックの周期を有する矩形波形とが生成されるようにしてもよい。つまり、複数生成される矩形波形が、周期が短い方の矩形波形でもよいし、長い方の矩形波形でもよい。また、本発明では、複数のＴクロックの周期を有する矩形波形と、複数のＴ＋１クロックの周期を有する矩形波形とが生成されるようにしてもよい。
【符号の説明】
【００４５】
１  超音波モータ
２  駆動装置
１１ａ、１１ｂ、１１ｃ、１１ｄ  圧電素子
２１  制御部
２２  矩形波形生成器（駆動波形生成部）
２３ａ、２３ｂ  ＬＰＦ（駆動波形生成部）
２４ａ、２４ｂ  増幅器（駆動波形生成部）
２２１  矩形波形（第１の駆動波形）
２２２  矩形波形（第２の駆動波形）
【図１】
2011254610.tif 000003
【図２】
2011254610.tif 000004
【図３】
2011254610.tif 000005
【図４】
2011254610.tif 000006
【図５】
2011254610.tif 000007
【図６】
2011254610.tif 000008
【図７】
2011254610.tif 000009
【図８】
2011254610.tif 000010